(57)【要約】【課題】小型でユニット化が可能であると共に、ヒータ寿命を延長でき、製作加工を容易に行える、流体過加熱器を提供する。【解決手段】流体が通過する配管８と、配管８内の流体を加熱するヒータ９と、配管８及びヒータ９を収容する長尺状のケーシング（外部ケーシング２及び内部ケーシング４）とを備える。ヒータ９は、ケーシングの長手方向に沿って延びる直線状であって、配管８は、ヒータ９の外周を螺旋状に巻回するコイル状に形成され、ケーシングは、少なくとも配管８とヒータ９とを収容する内部ケーシング４と、内部ケーシング４の外側に配置された外部ケーシング２とを備える。内部ケーシング４の長手方向両端部には、内筒５と外筒３とを連結する側壁７ａ，７ｂが設けられ、側壁７ａ，７ｂのさらに外側に第２の側壁６ａ，６ｂが設けられている。【選択図】図４
2020095880.tif 000002
【特許請求の範囲】
【請求項１】
流体が通過する配管と、
前記配管内の前記流体を加熱するヒータと、
前記配管及び前記ヒータを収容する長尺状のケーシングとを備えた流体過加熱器であって、
前記ヒータは、前記ケーシングの長手方向に沿って延びる直線状であって、
前記配管は、前記ヒータの外周を螺旋状に巻回するコイル状に形成され、
前記ケーシングは、少なくとも前記配管と前記ヒータとを収容する内筒と、前記内筒の外側へ非接触状態に配置された外筒とを備え、
前記ケーシングの長手方向両端部には、前記内筒と前記外筒とを連結する側壁が設けられていることを特徴とする流体過加熱器。
【請求項２】
前記ケーシングにおける前記ヒータへの外部配線の接続側となる長手方向端部では、前記側壁のさらに外側に第２の側壁が設けられていることを特徴とする請求項１に記載の流体過加熱器。
【請求項３】
前記ケーシングにおける前記外部配線の接続側と反対の長手方向端部でも、前記側壁のさらに外側に第２の側壁が設けられていることを特徴とする請求項２に記載の流体過加熱器。
【請求項４】
前記配管は、前記ヒータの長手方向から見て円形に巻回され、
前記内筒は、横断面四角形状であることを特徴とする請求項１乃至３に記載の流体過加熱器。
【発明の詳細な説明】
【技術分野】
【０００１】
本発明は、高温の熱流体を生成するための流体過加熱器に関する。
【背景技術】
【０００２】
金属や樹脂の加工分野等においては、熱処理をより早く行うために高温の熱流体が利用されており、その熱流体を発生させる方法や装置について種々検討されている。一例として、熱交換器に飽和蒸気を送り、さらに加熱し、高温熱流体としての過熱水蒸気を生成する方法が挙げられる。例えば、直管状の流路を通過する蒸気を流路内に設けられたハロゲンヒータによって加熱して過加熱蒸気を発生させる装置（特許文献１）や、黒色塗料が塗布されたスパイラル管が容器の中心軸部に架設されるハロゲンランプを非接触状態で包囲し、該スパイラル管がハロゲンランプの輻射光を吸収することによってスパイラル管内の蒸気を加熱する装置（特許文献２）、直管状の増幅管内を通過する蒸気を増幅管の外周面に巻線されたヒーティングコイルによって所定の温度に加熱する装置（特許文献３）等が知られている。
【先行技術文献】
【特許文献】
【０００３】
【特許文献１】特許第５００４０１号公報
【特許文献２】特開２００７−１７０９７号公報
【特許文献３】特表２０１３−５１５５５４号公報
【発明の概要】
【発明が解決しようとする課題】
【０００４】
しかし、上述のような、直管状の流路を備えた装置やヒータと流体との間に空間を有する装置で過加熱蒸気を発生させるには、飽和蒸気を所望の高温に達するまで加熱するヒータの長さが必要である。すなわち、ヒータ加熱に必要な距離が延びることになり、必要なスペースが増大する。また、省スペース化のための配管の屈折加工には、多くの工数が必要となる。さらに、流路内で直接高温蒸気とヒータが接触するような仕様の場合、高温、高湿雰囲気によってヒータの劣化が早くなる、といった課題が挙げられる。  
【０００５】
そこで、本発明の目的は、小型でユニット化が可能であると共に、ヒータ寿命を延長でき、製作加工を容易に行える、流体過加熱器を提供することにある。
【課題を解決するための手段】
【０００６】
上記目的を達成するために、請求項１に記載の発明は、流体が通過する配管と、配管内の流体を加熱するヒータと、配管及びヒータを収容する長尺状のケーシングとを備えた流体過加熱器であって、ヒータは、ケーシングの長手方向に沿って延びる直線状であって、配管は、ヒータの外周を螺旋状に巻回するコイル状に形成され、ケーシングは、少なくとも配管とヒータとを収容する内筒と、内筒の外側へ非接触状態に配置された外筒とを備え、ケーシングの長手方向両端部には、内筒と外筒とを連結する側壁が設けられていることを特徴とする。
請求項２に記載の発明は、請求項１の構成において、ケーシングにおけるヒータへの外部配線の接続側となる長手方向端部では、側壁のさらに外側に第２の側壁が設けられていることを特徴とする。
請求項３に記載の発明は、請求項２の構成において、ケーシングにおける外部配線の接続側と反対の長手方向端部でも、側壁のさらに外側に第２の側壁が設けられていることを特徴とする。
請求項４に記載の発明は、請求項１乃至３の構成において、配管は、ヒータの長手方向から見て円形に巻回され、内筒は、横断面四角形状であることを特徴とする。
【発明の効果】
【０００７】
請求項１に記載の発明によれば、流体が通過する配管をヒータの外周を螺旋状に巻回するコイル状とすることにより、ヒータ加熱に必要な距離が縮まり、スペースを小さくすることが可能となる。また、配管の製作加工がコイル状に巻く加工であるため、加工工数が軽減される。さらに、加熱対象の流体とヒータが直接接しない構造となるため、ヒータ寿命を延ばすことが可能となる。加えて、配管とヒータを内筒に収容したことにより剛性が増大し、加熱された流体に起因する配管の歪みを抑えることができる。
請求項２に記載の発明によれば、ヒータの外部配線接続部を側壁と第２の側壁との間に収納することができるため、接続部を外部から保護することができる。
請求項３に記載の発明によれば、長手方向両端部に側壁と第２の側壁を設けるため、制作段階においてケーシングの長手方向の向きが限定されなくなり、製作加工が容易となる。
請求項４に記載の発明によれば、内筒内部の四隅に空間ができるため、内筒内に配管の温度を直接計測する温度センサ等を設置できる。
【図面の簡単な説明】
【０００８】
【図１】流体過加熱器を示す斜視図である。
【図２】（ａ）は上部外筒を取り外した状態を示す斜視図、（ｂ）は上部内筒及び側部内筒を取り外した状態を示す斜視図である。
【図３】流体過加熱器の分解斜視図である。
【図４】（ａ）は図１におけるＡ−Ａ断面図、（ｂ）はＢ−Ｂ断面図である。
【発明を実施するための形態】
【０００９】
以下、本発明の実施の形態を図面に基づいて説明する。
図１，２に示すように、過加熱蒸気を発生させる流体過加熱器１は、外装となる長尺状の外部ケーシング２を有する。この外部ケーシング２は、短手方向両端部が折り曲げられたコ字状の上部外筒３ａ及び同じくコ字状の下部外筒３ｂからなる外筒３と、流体過加熱器１の長手方向内側を向いて開口する略箱状に形成された第２の側壁６ａ，６ｂとによって構成されている。上部外筒３ａの上部両端部寄りには貫通孔１２，１２が設けられ、配管８の流入部８ｂと流出部８ｃとがそれぞれ異なる貫通孔１２，１２から上方へ突出し、流入部８ｂ及び流出部８ｃそれぞれの末端には図示しない他の配管と流体過加熱器１とを接続する接続部１８，１８が設けられている。
外部配線の接続側の第２の側壁６ａには、後述するヒータ９、温度センサ１０及び温度ヒューズ１１の配線を外部ケーシングの外部へ誘導するための誘導孔１３が形成されている。また、外筒３の外部配線の接続側の端部付近であって、後述する側壁７と第２の側壁６ａの間となる位置には、外筒３の四面全てに排熱のためのスリット１７が複数形成されている。さらに、外部配線の接続側の第２の側壁６ａには、ヒータ９に配線するための端子台２１が備えられている。
【００１０】
外部ケーシング２の内部には、図２（ａ）に示すように、長尺状の内部ケーシング４が備えられる。内部ケーシング４は、上部内筒５ａ、側部内筒５ｂ、５ｂ及び下部内筒５ｃ（図３，４を参照）からなる内筒５と、側壁７ａ，７ｂとによって構成されている。上部内筒５ａ、側部内筒５ｂ、５ｂ、下部内筒５ｃは、それぞれが長手方向における両端部が外側へ向けて折り曲げられたコ字状であり、側壁７ａ，７ｂは、流体過加熱器１の長手方向外側に向けて開口した略箱状に形成されている。側壁７ａ，７ｂと第２の側壁６ａ，６ｂとは、流体過加熱器１の長手方向から見て同じ大きさとなるように形成される。
上部内筒５ａの長手方向両端部寄りには、配管８の流入部８ｂと流出部８ｃを内部ケーシング４の外部へ突出させるための第２の貫通孔１４，１４が設けられている。
【００１１】
内部ケーシング４の内部には、図２（ｂ）に示すように、流体過加熱器１の長手方向に沿って延びる円柱状のヒータ９と、ヒータ９と当接しながら、ヒータ９の外周を螺旋状に巻回するコイル状部８ａが形成された配管８とが備えられている。側壁７ａ，７ｂの中央付近には、ヒータ９を挿通支持するためのヒータ孔１５，１５が設けられている。加えて、図３に示すように、外部配線の接続側の側壁７ａには、温度センサ１０及び温度ヒューズ１１を挿入支持するための挿入孔１６、１６、１６が設けられ、また、他方の側壁７ｂには、温度ヒューズ１１を挿入保持するための挿入孔１６、１６が設けられ、温度センサ１０と温度ヒューズ１１，１１とは、側壁７ａ，７ｂに設けられた各挿入孔１６によって内部ケーシング４内へ挿入支持されている。
なお、ヒータ９及び温度センサ１０は、図示しない別体の制御器に接続されることで制御される。本実施形態におけるヒータ９は、石英管内に図示しないカーボン製の発熱体を封入したカーボンヒータである。
【００１２】
外部ケーシング２及び内部ケーシング４は、それぞれを構成する各部材に複数設けられた固定孔１９を介して、互いにビス等の固定手段（図示せず）により固定される。
この時、配管８は、流入部８ｂ及び流出部８ｃが、貫通孔１２，１２及び第２の貫通孔１４，１４に挿通され、内筒５によって配管８のコイル状部８ａが内包支持されている。このように、流体過加熱器１はシンプルな構造となっているため、簡単な分解作業によって配管８やヒータ９の交換ができ、例えば、径の異なる配管と交換することで発生させる過加熱蒸気の流量を容易に調整することができる。
【００１３】
図４（ａ）〜（ｂ）に示すように、内筒５は、配管８のコイル状部８ａに外側から当接している。このように、配管８のコイル状部８ａが内筒５に内包支持されることで剛性が強化されるため、ヒータ熱による配管８の歪みを抑えることが可能となり、ひいては、流体過加熱器１の熱強度を向上させている。一方、配管８のコイル状部８ａが、ヒータ９の長手方向から見て円形に巻回されているため、横断面四角形状の内筒５の内部四隅にスペースが生じ、内筒５内への温度センサ１０及び温度ヒューズ１１の挿入を可能としている。この時、温度センサ１０は、配管８のコイル状部８ａに当接するため、配管８のコイル状部８ａの温度を実時間で観測し、配管８内の飽和蒸気の温度制御を確実に行うことができる。また、温度ヒューズ１１を備えたことにより、内部ケーシング４内温度の過剰な上昇を防ぐことができる。
なお、内筒５と外筒３とによって作られる間隙２０には、ガラス繊維からなる断熱材（図示せず）が詰め込まれており、外部ケーシング２への伝熱を抑えることができる。
【００１４】
接続部１８に接続された図示しない他の配管から流入部８ｂを経て流体過加熱器１内へ送られた飽和蒸気は、配管８のコイル状部８ａを通過する際にヒータ９によって加熱される。所定の温度まで加熱された過加熱蒸気は、流出部８ｃを経て接続部１８に接続された図示しない他の配管へ送られる。この時、飽和蒸気がヒータ９と直接接触しないため、高温高湿雰囲気によるヒータの劣化を抑え、ヒータ寿命を延ばすことができる。また、配管８にヒータ９の外周に当接しながら螺旋状に巻回するコイル状部８ａを設けたことで、ヒータ加熱に必要な距離が縮まるため、装置の小型化が可能となる。そのため、流体過加熱器１をユニット化し、複数の流体過加熱器１を並列接続することで流量を増やしたり、直列接続することでさらに高温の流体を発生させたりするといった柔軟な運用が可能となる。
【００１５】
上記形態の流体過加熱器１は、流体が通過する配管８と、配管８内の流体を加熱するヒータ９と、配管８及びヒータ９を収容する長尺状のケーシング（外部ケーシング２及び内部ケーシング４）とを備え、ヒータ９は、ケーシングの長手方向に沿って延びる直線状であって、配管８は、ヒータ９の外周を螺旋状に巻回するコイル状に形成され、ケーシングは、配管８とヒータ９とを収容する内部ケーシング４と、内部ケーシング４の外側へ非接触状態に配置された外部ケーシング２とを備え、内部ケーシング４の長手方向両端部には、内筒５と外筒３とを連結する側壁７ａ，７ｂが設けられている。
このように構成された流体過加熱器１によれば、流体が通過する配管８をヒータ９の外周を螺旋状に巻回するコイル状とすることにより、ヒータ加熱に必要な距離が縮まり、スペースを小さくすることが可能となる。また、配管８の製作加工がコイル状に巻く加工であるため、加工工数が軽減される。また、飽和蒸気とヒータ９とが直接接しない構造となるため、ヒータ寿命を延ばすことが可能となる。また、配管８とヒータ９を内筒５に収容したことにより剛性が増大し、加熱された流体に起因する配管８の歪みを抑えることができる。
【００１６】
また、外部ケーシング２におけるヒータ９への外部配線の接続側となる長手方向端部では、側壁７ａのさらに外側に第２の側壁６ａが設けられている。
よって、ヒータ９の外部配線接続部を側壁７ａと第２の側壁６ａとの間に収納することができるため、外部配線接続部を外部から保護することができる。また、端子台２１もヒータ９の熱から保護することができる。
【００１７】
また、外部ケーシング２における外部配線の接続側と反対の長手方向端部でも、側壁７ｂのさらに外側に第２の側壁６ｂが設けられている。
よって、長手方向両端部に側壁７ａ，７ｂと第２の側壁６ａ，６ｂを設けるため、制作段階においてケーシングの長手方向の向きが限定されなくなり、製作加工が容易となる。
【００１８】
また、配管８は、ヒータ９の長手方向から見て円形に巻回され、内部ケーシング４は、横断面四角形状である。
よって、内筒５内部の四隅に空間ができるため、内筒５内に配管８の温度を直接計測する温度センサ１０等を設置できる。
【００１９】
以上は、本発明を図示例に基づいて説明したものであり、その技術範囲はこれに限定されるものではない。例えば、加熱する流体は、液体でも気体でも良い。また、ヒータは、流体を所定の温度まで加熱できるものであれば、任意のヒータを適用可能である。また、外部ケーシング及び内部ケーシングの固定孔や外筒に設けられるスリットの数は、目的の強度や放熱率が保てる範囲で任意に設定できる。また、外筒及び内筒の横断面形状は、多角形や円形等でも良く、外筒及び内筒は分割せず、一体の筒状であっても良い。さらに、第２の側壁の一方又は両方を省略化しても良い。さらにまた、温度センサ及び温度ヒューズは、必ずしも備える必要はなく、場合に応じて誘導孔や挿入孔の数を変更できる。加えて、断熱材の素材は、ガラス繊維に限定されず、任意の断熱材が選択可能である。
【符号の説明】
【００２０】
１・・流体過加熱器、２・・外部ケーシング、３・・外筒、４・・内部ケーシング、５・・内筒、６ａ，６ｂ・・第２の側壁、７ａ，７ｂ・・側壁、８・・配管、９・・ヒータ、１０・・温度センサ、１１・・温度ヒューズ。
【図１】
2020095880.tif 000003
【図２】
2020095880.tif 000004
【図３】
2020095880.tif 000005
【図４】
2020095880.tif 000006